(57)【要約】      （修正有）【解決手段】  載置台、輸送装置、少なくとも一個の光源装置、少なくとも一個のカメラレンズセット、コントローラー、プログラム可能な識別素子および輸出切換装置により構成される。輸送装置は識別物件を載置台まで輸送する。光源装置は識別物件を照射する。カメラレンズセットは動力部材により移動すると共に、識別物件の特定位置の映像を映り取る。コントローラーは映り取った映像を真実映像と偽造映像が差異を有した倍数まで拡大させてから映り取り、そして識別素子で差異の判別処理を行う。輸出切換装置は判別処理の結果によって特定の輸出位置まで切り換えを行うことにより、識別物件の輸出を行うように構成されている。【効果】  図形の特定位置の印刷、色譜分布、繊維材質の映像を映り取り、上記映像を真実映像と偽造映像が差異を有した倍数まで拡大させ、それから差異の判別による機械的作動を行うことにより、真偽を識別する効果を高めることができる。【選択図】    図２
2005352854.tif 000002
【特許請求の範囲】
【請求項１】
載置台（１）、少なくとも一個の光源装置（２０）、少なくとも一個のカメラレンズセット（３０）、コントローラー（４０）およびプログラム可能な識別素子（５０）により構成される図形の真偽識別装置であって、載置台（１）は識別物件（ａ）を放置するのに用いられ、光源装置（２０）は光源を利用して識別物件（ａ）を照射し、カメラレンズセット（３０）は識別物件（ａ）の映像を予定倍数まで拡大させ、それから上記映像を映り取り、上記拡大の倍数は偽造映像と差異を有した倍数であり、コントローラー（４０）は光源装置（２０）およびカメラレンズセット（３０）と連接して制御することができ、そしてカメラレンズセット（２０）の識別物件（ａ）の映像を映り取り、プログラム可能な識別素子（５０）はコントローラー（４０）およびカメラレンズセット（３０）まで連接され、プログラム可能な識別素子（４０）は上記差異を判別するロジックを有すると共に、カメラレンズセット（３０）が出力する映像を判別することができ、コントローラー（４０）はカメラレンズセット（３０）が映像をプログラム可能な識別素子（５０）まで出力するのを制御することができるため、識別物件（ａ）の映像について差異の判別処理を行うことができることを特徴とする図形の真偽識別装置。
【請求項２】
他に輸送装置（１０）が含まれ、輸送装置（１０）にはコンベア（１２）が設けられ、コンベア（１２）は識別物件（ａ）を載置台（１）の特定位置まで輸送するのに用いられることを特徴とする請求項１記載の図形の真偽識別装置。
【請求項３】
輸送装置（１０）には他に弾きローラーセット（１１）とコンベア（１２）が含まれ、弾きローラーセット（１１）により識別物件（ａ）を図形の真偽識別装置の内部に進入させるように弾くことができ、さらにコンベア（１２）により識別物件（ａ）を図形の真偽識別装置の内部において連動させることができることを特徴とする請求項２記載の図形の真偽識別装置。
【請求項４】
他にトラックセット（２１）が含まれ、トラックセット（２１）は光源装置（２０）とカメラレンズセット（３０）を載置するのに用いられ、そして特定位置まで移動するように用いられることを特徴とする請求項１記載の図形の真偽識別装置。
【請求項５】
他に基板（４１）が設けられ、基板（４１）はコントローラー（４０）およびプログラム可能な識別素子（５０）を固設するのに用いられることを特徴とする請求項１記載の図形の真偽識別装置。
【請求項６】
載置台（１）は透明材料により製成されることを特徴とする請求項１記載の図形の真偽識別装置。
【請求項７】
他に輸出切換装置（６０）が含まれることを特徴とする請求項１記載の図形の真偽識別装置。
【請求項８】
輸出切換装置（６０）は識別の結果により第一受け台（４）と第二受け台（５）の間に切り換えを行うことができ、差異の判別の結果が本物であると、輸出切換装置（６０）は第二受け台（５）を閉じ、そして第一受け台（４）を開けるように切り換えを行うのに対し、差異の判別の結果が偽物であると、輸出切換装置（６０）は第一受け台（４）を閉じ、そして第二受け台（５）を開けるように切り換えを行うことを特徴とする請求項７記載の図形の真偽識別装置。
【請求項９】
他に入口（２）と出口（３）が含まれることを特徴とする請求項１記載の図形の真偽識別装置。
【請求項１０】
輸出切換装置（６０）は出口（３）に位置するように形成されることを特徴とする請求項７記載の図形の真偽識別装置。
【発明の詳細な説明】
【技術分野】
【０００１】
本発明は、図形の真偽識別装置に関するもので、特に図形の映像が差異を有した倍数を利用して判別処理を行い、さらに図形の特徴を制御して真偽を識別する機械的作動を有した識別装置に係るものである。
【背景技術】
【０００２】
現在、コンピューターのカラー印刷とコピー技術の発達に従って、変造印刷品または複製品も日に増して氾濫しており、変造を経た各種の図案の真偽は肉眼では識別し難いため、変造された証明書類、有価証券、国家の貨幣などは民衆を簡単に騙すことができる。肉眼ではこれらの複製品を識別するのは誤りが生じてしまうだけではなく、識別のスピードが遅過ぎるため、大量かつ迅速に識別を行うことができない。そのため、図形の識別システムまたは装置によりこれらの変造品を識別しなければならない。
【０００３】
従来の図形の真偽識別システムとしては、数字ライン映像比較システムが設けられ、３Ｄ走査レンズを利用して紙幣の偽造防止の金額数字を映り取り、そしてライン映像の比較を行うことにより、紙幣の真偽の識別を行うことができるようにとしたものがある（例えば、特許文献１を参照）。
【０００４】
また、従来の図形の真偽識別システムとしては、図形の特定位置の印刷技術、色譜分布、繊維材質の映像の特徴を利用し、上記映像の特徴を偽造映像と差異を有した倍数まで拡大させて判別処理を行うことができるようにとしたものがある（例えば、特許文献２を参照）。
【特許文献１】中華民国專利公報公告番号第４９００５４号
【特許文献２】中華民国專利公報公告番号第５６４３７７号
【発明の開示】
【発明が解決しようとする課題】
【０００５】
上記のような従来の図形の真偽識別システムにおいては、その紙幣の偽造防止による金額数字のライン映像の比較は紙幣の偽造防止の特徴の設計（金額数字の形状、模様）と紙幣の種類（異なる国家の規格、異なる金額によるサイズの大きさ）により制限される。一旦貨幣が改版されると、旧版の識別システムまたは装置では引き続き使用することができないため、資源の浪費になってしまうという問題点があった。他に、上記偽造防止の金額数字のライン映像の比較では下記の問題点を有しており、紙幣の使用時間が長ければ長い程、その印刷のインクの色褪せは益々厳重になるため、識別の誤判が生じてしまうという問題点があり、さらに３Ｄ走査レンズは外界の光線、紫外線黒いランプの光線または透かし測定ランプの干渉を受け易いことにより、識別の精確度を下げてしまうという問題点があった。
【０００６】
また、上記のような従来の図形の真偽識別システムにおいては、一般の公文書や証明書には偽造防止の特徴を設置していないため、上記従来の図形の真偽識別システムは偽造防止の特徴（透かし、凸版印刷、偽造防止線、変色インク、蛍光図案、レーザー図案）を有した紙幣や有価証券等にしか適用することができず、ドライスタンプだけをスタンプした学生証明書や出生証明書などには適用できない。そのため、一般の学歴証明書や出生証明書にはドライスタンプしか識別することができないため、真偽の識別において不便が生じてしまうという問題点があった。さらに、変色インクまたは蛍光線は簡単に変造または偽造することができ、そして肉眼では識別し難い。もし機器を利用して真偽を識別しようとする時、上述同様に紙幣の使用時間が長ければ長い程、その変色インクと蛍光線の摩擦による損失は益々厳重になるため、識別の誤判が生じてしまうという問題点があった。
【０００７】
また、事実上、貨幣、有価証券、一般の公文書または証明書にはやはり印刷技術、色譜分布、繊維材質などの一般の差異を有しているため、これらの差異により書類を比較して真偽を識別することができる。カラー印刷とコピー技術が絶えずに進歩しているにもかかわらず、真偽の間には上述の差異が存在している。そのため、一般の公文書または証明書が偽造防止の特徴を設けていない状態で、これらの差異により真偽の識別には充分に足りるものである。さらに、偽造防止の特徴を有したクレジットカード、紙幣、有価証券にも印刷技術、色譜分布、繊維材質などの一般の差異を有しているため、これらの偽造防止の特徴を有した物品に対して真偽の識別に適用することができる。言い換えれば、変造製品またはコピー製品の検査は必ずしも偽造防止の特徴を利用しなければならないということではなく、印刷技術、色譜分布、繊維材質などの差異を利用すれば、正確に真偽を識別することができる。
【０００８】
しかし、従来の図形の真偽識別システムによる判別処理の方法においては、機械的または電気的な操作機構と合わせて実施しなければ、図形の特徴による真偽識別の機械的作動を完成することができないため、機構の全体的な構造においては操作の手順を減らし、構造を簡単にし、さらに識別の正確度を高めなければ、一般的な需要性に符合することができないという問題点があった。そのため、上記のような従来の図形の真偽識別システムをさらに改良しなければならない。
【０００９】
本発明はこのような問題点に鑑みて発明したものであって、その目的とするところは、図形の映像が有した差異の倍数を利用して判別処理を行うことにより、図形の特徴による真偽を識別する機械的作動を行うことができる図形の真偽識別装置を提供しようとするものである。
【００１０】
本発明の第一の目的は、図形の特定位置の印刷技術、色譜分布、繊維材質の映像を映り取り、さらに上記映像を真実映像と偽造映像が差異を有した倍数まで拡大させ、それから差異の判別による機械的作動を行うことにより、真偽を識別する効果を高めることができる図形の真偽識別装置を提供しようとするものである。
【００１１】
本発明の第二の目的は、図形の印刷技術、色譜分布、繊維材質の映像の特徴による判別だけを行い、それから差異の判別による機械的作動を行うことにより、機構を簡略化することができる図形の真偽識別装置を提供しようとするものである。
【課題を解決するための手段】
【００１２】
上記目的を達成するために、本発明による図形の真偽識別装置は、下記のようになるものである。すなわち、
載置台、少なくとも一個の光源装置、少なくとも一個のカメラレンズセット、コントローラーおよびプログラム可能な識別素子により構成される。載置台は識別物件を放置するのに用いられる。光源装置は光源を利用して識別物件を照射する。カメラレンズセットは識別物件の映像を予定倍数まで拡大させ、それから上記映像を映り取り、上記拡大の倍数は偽造映像と差異を有した倍数である。コントローラーは光源装置およびカメラレンズセットと連接して制御することができ、そしてカメラレンズセットの識別物件の映像を映り取る。プログラム可能な識別素子はコントローラーおよびカメラレンズセットまで連接され、プログラム可能な識別素子は上記差異を判別するロジックを有すると共に、カメラレンズセットが出力する映像を判別することができる。コントローラーはカメラレンズセットが映像をプログラム可能な識別素子まで出力するのを制御することができるため、識別物件の映像について差異の判別処理を行うことができる。
【００１３】
本発明による図形の真偽識別装置は、他に輸送装置が含まれ、輸送装置にはコンベアが設けられ、コンベアは識別物件を載置台の特定位置まで輸送するのに用いられることもできる。また、輸送装置には他に弾きローラーセットとコンベアが含まれ、弾きローラーセットにより識別物件を図形の真偽識別装置の内部に進入させるように弾くことができ、さらにコンベアにより識別物件を図形の真偽識別装置の内部において連動させることもできる。また、他にトラックセットが含まれ、トラックセットは光源装置とカメラレンズセットを載置するのに用いられ、そして特定位置まで移動するように用いられることもできる。また、他に基板が設けられ、基板はコントローラーおよびプログラム可能な識別素子を固設するのに用いられることもできる。また、載置台は透明材料により製成されることもできる。また、他に輸出切換装置が含まれることもできる。また、輸出切換装置は識別の結果により第一受け台と第二受け台の間に切り換えを行うことができ、差異の判別の結果が本物であると、輸出切換装置は第二受け台を閉じ、そして第一受け台を開けるように切り換えを行うのに対し、差異の判別の結果が偽物であると、輸出切換装置は第一受け台を閉じ、そして第二受け台を開けるように切り換えを行うこともできる。また、他に入口と出口が含まれることもできる。また、輸出切換装置は出口に位置するように形成されることもできる。
【発明の効果】
【００１４】
本発明の図形の真偽識別装置によれば、図形の特定位置の印刷技術、色譜分布、繊維材質の映像を映り取り、さらに上記映像を真実映像と偽造映像が差異を有した倍数まで拡大させ、それから差異の判別による機械的作動を行うことにより、真偽を識別する効果を高めることができるという利点がある。
【００１５】
本発明の図形の真偽識別装置によれば、図形の印刷技術、色譜分布、繊維材質の映像の特徴による判別だけを行い、それから差異の判別による機械的作動を行うことにより、機構を簡略化することができるという利点がある。
【発明を実施するための最良の形態】
【００１６】
本発明の実施の形態について、以下、図面を参照して説明する。
【００１７】
本発明における動力部材という名詞が含んだ範囲には交流モータ（AC motor）、直流モータ（DC motor）、ステッピングモータ（stepping motor）などが含まれる。また、本発明におけるカメラレンズセットという名詞が含んだ定義として、単一のレンズと二個以上のレンズが含まれ、そして使用された射影装置の種類と規格を限定しておらず、例えば電荷結合装置（Charge-Coupled Device）である。また、本発明におけるコントローラーという名詞が含んだ定義として、ロジック回路、チップまたは中央処理器などを制御することに属するものである。さらに、本発明におけるプログラム可能な識別素子という名詞が含んだ定義として、ロジック回路またはデータバンクを識別する判別ソフトに属するものである。
【００１８】
図１は本発明の実施例の図形の真偽識別装置による構造の説明図で、図２は本発明の実施例の図形の真偽識別装置による側面図で、図３は本発明の実施例の図形の真偽識別装置による平面図で、図４は本発明の実施例の図形の真偽識別装置による偽造の識別物件に判定された状態の側面図で、図５は本発明の実施例の図形の真偽識別装置によるブロック図である。
【００１９】
図１を参照すると、本発明の実施例の図形の真偽識別装置には輸送装置１０、二個の光源装置２０、二個のカメラレンズセット３０、コントローラー４０、プログラム可能な識別素子５０および輸出切換装置６０が含まれる。コントローラー４０は輸送装置１０、光源装置２０、カメラレンズセット３０、プログラム可能な識別素子５０および輸出切換装置６０と連接して制御することができる。
【００２０】
図２、３を参照すると、本発明の実施例の図形の真偽識別装置の内部には載置台１、入口２、出口３、第一受け台４と第二受け台５が水平になるように設けられる。載置台１は透明な基板からなると共に、識別物件ａを載置するのに用いられることにより、載置台１の上に載置された識別物件ａの反面の映像は載置台１の下方から観測または映り取ることができる。輸送装置１０は載置台１の周囲に位置するように形成されることにより、識別物件ａを輸送して載置台ａを通過することができる。輸送装置１０には弾きローラーセット１１とコンベア１２が含まれる。弾きローラーセット１１はローラー式弾き桿からなると共に、識別物件ａの数量または積み重ねられた厚さによってある調整角度に弾性的に回転するのを許容することができるため、ローラー式弾き桿の一端は識別物件ａに当接し続けるのを保持することができる。弾きローラーセット１１は識別物件ａが順序よく一つずつ入口２の内部に進入するのに用いられることができる。コンベア１２はローラーセットに嵌設され、そして動力部材（図示せず）により回転するように駆動され、さらに入口２と出口３の間で輸送するように形成される。コンベア１２により識別物件ａを特定位置まで輸送し、そして光源装置２０とカメラレンズセット３０により撮影の作動を行い、それからプログラム可能な識別素子５０により識別の手順を行い、さらに識別の結果によって識別物件ａを出口３まで輸送する。
【００２１】
再び図２、３を参照すると、光源装置２０は特定の光源を利用して識別物件ａを照射する。光源装置２０の特定の光源は赤、緑、ブルー、赤外線、紫外線などの発光ダイオード、レーザーダイオードまたはその他の特定波長範囲の光源が含まれる。カメラレンズセット３０は制御自在な拡大レンズに属し、光学の拡大機器（図示せず）が配置されるため、図形の特徴を予定倍数まで拡大させることができる。
【００２２】
再び図２、３を参照すると、光源装置２０とカメラレンズセット３０は共同で二個のユニットを組成し、上記二個のユニットはそれぞれ載置台１の上方と下方に設置され、さらに各ユニットはトラックセット２１に組み立てられるため、光源装置２０とカメラレンズセット３０のユニットは動力部材（図示せず）により移動するように形成され、さらにコントローラー４０によりトラックセット２１に沿って特定位置まで移動するように制御される。また、光源装置２０とカメラレンズセット３０とのユニットによる移動の範囲は載置台１の範囲内に制限される。
【００２３】
再び図１、２を参照すると、コントローラー４０とプログラム可能な識別素子５０は基板４１に固設され、そして電気的連接になるように形成される。コントローラー４０は識別物件ａの映像を真実映像と偽造映像が差異を有した倍数まで拡大させた後、識別物件ａの映像の映り取りを行い、そして再び映像をプログラム可能な識別素子５０まで出力して差異の判別処理を行う。
【００２４】
再び図２、３，４を参照すると、輸出切換装置６０は板片からなると共に、出口３に位置するように形成され、輸出切換装置６０により第一受け台４と第二受け台５の間に連接するように回転し切り換えることができる。また、輸出切換装置６０はプログラム可能な識別素子５０の判別処理の結果に従って特定な輸出位置への切り換えを行うことにより、識別物件ａを第一受け台４または第二受け台５まで直接輸出させると、識別物件ａの識別の結果の確認を完成することができる。
【００２５】
再び図２、４を参照すると、もしプログラム可能な識別素子５０が識別物件ａを本物と判定した場合、輸出切換装置６０は第二受け台５を閉じ、そして図２に示すように第一受け台４を本物の収集台として開けるように切り換えを行うのに対し、もしプログラム可能な識別素子５０が識別物件ａを偽物と判定した場合、輸出切換装置６０は第一受け台４を閉じ、そして図４に示すように第二受け台５を偽物の収集台として開けるように切り換えを行うことができる。
【００２６】
図５を参照すると、本発明のプロセスには主に六つの自動機械的操作の段階と判別処理の段階が含まれる。
【００２７】
再び図２、４、５を参照すると、本発明の実施例の図形の真偽識別装置は先ず識別物件ａを入口２から弾きローラーセット１１を利用して弾くことによって識別物件ａを上から下へ順序よく一つずつ入口２に進入させる。弾きローラーセット１１が一枚の識別物件ａを弾いた後、直ちに運転を停止する。識別物件ａが一旦入口２に進入した時、コンベア１２により識別物件ａが載置台１の特定位置まで連動されるため、光源装置２０とカメラレンズセット３０は載置台１の上方と下方から識別物件ａと合わせるように形成される。この時、輸送装置１０のコンベア１２は暫く運転を停止し、識別物件ａを特定位置に完全に位置決めさせることにより、後続における識別の操作を行うことができる。
【００２８】
それから、コントローラー４０によって光源装置２０とカメラレンズセット３０が特定位置まで移動するのを制御し、さらに光源装置２０が特定な光源と明るさを利用して識別物件ａを照射する特定位置を選択するのを行わせると同時に、カメラレンズセット３０が上記特定位置への位置合わせを完成することができる。
【００２９】
それから、コントローラー４０の制御によってカメラレンズセット３０の識別物件ａの映像を真実映像と偽造映像が差異を有した倍数まで拡大させてから映り取り、そして再び映像をプログラム可能な識別素子５０まで輸出させて差異の判別処理を行う。
【００３０】
それから、コントローラー４０によってカメラレンズセット３０が映り取った映像をプログラム可能な識別素子５０まで輸出させることにより、差異の判別処理を行う。プログラム可能な識別素子５０の映像識別の功能として識別物件ａの特定位置における印刷特徴、印刷技術特性、色譜分布、繊維材質などの特定な組合せが含まれる。そして、カメラレンズセット３０の特定位置における映像には上記特定な組合せが形成される。プログラム可能な識別素子５０は識別物件ａの映像とプログラム可能な識別素子５０の映像の間における差異の識別ロジックを行い、そして差異の判別の結果をコントローラー４０まで出力する。差異の判別処理において、プログラム可能な識別素子５０は例えばソフトの識別ロジックを利用して映像の差異に対して運算処理を行い、そして識別物件ａの真偽を判定することができる。差異識別の判別処理において、本発明では印刷特徴、印刷技術特性、色譜分布、繊維材質などの一般の差異を利用して差異の判別処理を行うため、偽造防止の特徴を有した物品の真偽識別の判別に適用することができる。いわゆる、その差異には図案印刷ラインの構造、図案透かしの特性、図案の構造、図案の色彩、図案の繊維特性、図案の繊維成分と図案の繊維密度が含まれる。
【００３１】
それから、コントローラー４０は差異判別の真偽の結果によって輸出切換装置６０を作動させ、第一受け台４と第二受け台５の間において切り換えを行うことができる。差異判別の結果が本物である場合、輸出切換装置６０は第二受け台５を閉じ、そして図２に示すように第一受け台４を開けるように切り換えを行うのに対し、差異判別の結果が偽物である場合、輸出切換装置６０は第一受け台４を閉じ、そして図４に示すように第二受け台５を開けるように切り換えを行うことができる。
【００３２】
最後に、コントローラー４０は輸送装置１０が運転し続けるのを制御することにより、コンベア１２から識別物件ａを出口３まで輸出する。輸出切換装置６０が第一受け台４を開けるように切り換えを行った場合、識別物件ａは第一受け台４に落ち続ける。それに反して、輸出切換装置６０が第二受け台５を開けるように切り換えを行った場合、識別物件ａは変更して第二受け台５に滑り込むことができる。
【産業上の利用可能性】
【００３３】
上述の如く、本発明の図形の真偽識別装置によれば、図形の特定位置の印刷技術、色譜分布、繊維材質の映像を映り取り、さらに上記映像を真実映像と偽造映像が差異を有した倍数まで拡大させ、それから差異の判別による機械的作動を行うことにより、真偽を識別する効果を高めることができると共に、機構を簡略化することができる。
【００３４】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００３５】
【図１】本発明の実施例の図形の真偽識別装置の構造を示す図である。
【図２】本発明の実施例の図形の真偽識別装置の側面図である。
【図３】本発明の実施例の図形の真偽識別装置の平面図である。
【図４】本発明の実施例の図形の真偽識別装置による偽造の識別物件に判定された状態を示す側面図である。
【図５】本発明の実施例の図形の真偽識別装置のブロック図である。
【符号の説明】
【００３６】
１    載置台                            ２    入口
３    出口                              ４    第一受け台
５    第二受け台                      １０    輸送装置
１１    弾きローラーセット              １２    コンベア
２０    光源装置                        ２１    トラックセット
３０    カメラレンズセット              ４０    コントローラー
４１    基板                            ５０    プログラム可能な識別素子
６０    輸出切換装置                      ａ    識別物件
【図１】
2005352854.tif 000003
【図２】
2005352854.tif 000004
【図３】
2005352854.tif 000005
【図４】
2005352854.tif 000006
【図５】
2005352854.tif 000007